(57)【要約】【課題】袋状または台紙とシートカバーとの故意的なはがれを識別明瞭にしたブリスター包装体を得る。【解決手段】袋状または台紙とシートカバーフランジー部とが感圧接着剤を介して重合さたブリスター包装体において、上記、重合個所にあらかじめ改ざん防止インキを印刷してなることを特徴とした開口識別付きブリスター包装体。【選択図】　　図２
2004026297.tif 000002
【特許請求の範囲】
【請求項１】
袋状または台紙とシートカバーフランジー部とが感圧接着剤を介して重合させたブリスター包装体において、上記、重合個所にあらかじめ改ざん防止インキを印刷してなることを特徴とした開口識別付きブリスター包装体。
【請求項２】
シートカバーフランジー部上に、感圧接着剤層を設けた個所に、あらかじめ改ざん防止インキを印刷してなる請求項１記載の開口識別付きブリスター包装体。
【請求項３】
袋状または台紙上に、感圧接着剤層を設けた個所に、あらかじめ改ざん防止インキを印刷してなる請求項１および請求項２記載の開口識別付きブリスター包装体。
【発明の詳細な説明】
【０００１】
【発明の属する技術分野】
本発明は、商品をシートカバーの収納凹部に入れて、袋状または台紙に該シートカバーを貼りつけた構造の通称「ブリスター包装体」に関する。さらに、詳しくは、改ざん防止機能を有するブリスター包装体に関する
【０００２】
【従来の技術】
従来より、商品をシートカバーの収納凹部に入れて、袋状または台紙に該シートカバーを貼りつけた構造の通称「ブリスター包装体」は、当該包装体のヘッダー部に吊り下げ孔を設け、各種小物商品の包装体をスーパーや小売店などで広く使用されている。
【０００３】
【発明が解決しようとする課題】
従来、通称ブリスター包装体の袋状または台紙に該シートカバーとの取り付け方法は、シートカバーと同系統の樹脂を塗布した台紙にシートカバーのフランジ部を熱融着する方法や、シートカバーの３辺の端をコの字型に折り曲げ加工し、そのＵ部に沿って台紙をスライドする方法などが採用されていた。しかし，近年になってシートカバーとして比較的軟質の熱可塑性樹脂が使用されるようになり、これに伴って、シートカバーと台紙の接着に感圧接着剤が用いられるようになってきたことにより、特に、シートカバー中の商品が化粧品のような皮膚または、目薬，飲食商品のような場合、当該商品が故意に抜き取られて購買者などに不慮の事故を生じたり、販売者に多大な損害を蒙る問題を生じる問題がある。
【０００４】
本発明は、上記問題点に鑑みなされたものであり、その目的とするところは、シートカバー中の商品が、販売者と購買者との正規な取引が行われるまえに第三者によって故意によって開封されたことが判明するブリスター商品を提供することを目的とするものである。
【０００５】
【課題を解決するための手段】
本発明は、以下の各項の発明よりなるものである。
（１）　袋状または台紙とシートカバーフランジー部とが感圧接着剤を介して重合さたブリスター包装体において、上記、重合個所にあらかじめ改ざん防止インキを印刷してなることを特徴とした開口識別付きブリスター包装体、
（２）シートカバーフランジー部上に、感圧接着剤層を設けた個所に、あらかじめ改ざん防止インキを印刷してなる請求項１記載の開口識別付きブリスター包装体、
（３）袋状または台紙上に、感圧接着剤層を設けた個所に、あらかじめ改ざん防インキを印刷してなる請求項１および請求項２記載の開口識別付きブリスター包装体。
【０００６】
【発明の実施の形態】
本発明の一実施例を図面によって詳細に説明する。
図１および図２は、本発明の開口識別付きブリスター包装体であって、図１は当該ブリスター包装体の正面であり、図２は、図１の断面図を示すものである。
【０００７】
１は、袋付き台紙で、帯状のポリオレフィン系合成樹脂フィルムを半折重合し、下端を開口部７として、その一方のみに封口片８を設け、両端縁を熱溶着・熱溶断して袋状に形成したものである。および、当該封口片８の内面には感圧接着剤層１４を設けて、離型紙９が当接されている。
【０００８】
当該袋付き台紙は、材質としては、特に制限はなく、例えば、紙製の台紙、合成紙製の台紙、プラスチック製の台紙、プラスチックフィルム製の台紙などが挙げることができる。または、形状としてしては、例えば、１枚ものの台紙、ヘッダー付き台紙などが挙げられる。必要によっては袋内部に上記材質のシートを芯材として内装せしめることもある。１０は、袋付き台紙の溶着帯であり、１１は，ヘッダー部の吊り下げ孔である。
【０００９】
２は、シートカバーであり、材質は、特に制限はなく、例えば、塩化ビニル、ポリスチレン、ポリエステル、ポリプロピレン、軟質ポリプロピレンなどのシートを真空成形法、圧空成形法、などにより成形される。３は、当該シートカバーのフランジ部である。４は、感圧接着剤層である。６は、本発明の目的を達成するための改ざん防止インキ層である。
【００１０】
以下に、本発明の目的である改ざん防止機能を発揮する作用および効果を説明する。
請求項２の実施例の場合、シートカバーのフランジ部３上に第３図で示すように細かな千鳥状模様の剥離ニス１２を先ず散着し、さらに、その第４図で示すように上記、剥離ニス１２がついている部分Ａ（付着部）と、ついていない部分Ｂ（未付着部）、を跨いているとともに色インキ印刷層１３を形成し、その上に、感圧接着剤層４を設けて、袋付き台紙１と重合された開口識別付きブリスター包装体が完成する。〈図７−ａ参照〉。
【００１１】
上記、シートカバーフランジ部上の感圧接着剤層４を設けた個所にあらかじめ細かな千鳥模様状の剥離ニス層１２と色インキ印刷層１３とからなる改ざん防止インキ層６および、感圧接着剤層４により袋付き台紙１に重合されている結果、袋付き台紙１からシートカバーフランジ部３を剥がすと前記、色インキ層１３が感圧接着剤層４側に転写して、図５・６に示すような状態になり、袋付き台紙１からシートカバーフランジ部３を剥がされ開口されたことが明瞭に識別されることになる。
【００１２】
上記、剥離ニス層１２は、例えば、シリコンを配合したゴム系樹脂を含む大日本インキ化学工業（株）製ファインラップＯＰニスが使用される。および、色インキ印刷層１３は、大阪印刷インキ製造（株）製ＥＸＰ開封防止用インキが使用される。
【００１３】
ところで、袋付き台紙１からシートカバーフランジ部３を剥がされることにより重合個所５で、色印刷インキ印刷層１３の一方の側から他方の側に転写されるだけではいちど剥がしたものを再度接着するといった悪質な行為に対しては剥離ニス層１２の模様分布状態を細かくすることにより一度剥がしたもの再度接着した場合では、次に剥がした時には転写された色インキ印刷層１３のダブリなどの異常が現れ、剥がされていることが一目瞭然に識別にできる。
【００１４】
上記、実施例の逆である請求項３の場合も同じ効果を有する（図７−ｂ）
【００１５】
本発明の袋状または台紙に改ざん防止インキ層のない感圧接着剤の転写を連続的に製造する装置は、剥離性に軽重のある２枚の長尺の離型紙の間に形成された感圧接着剤層を有する感圧接着剤層原反を軽剥離性の離型紙を供給する手段と軽剥離性の離型紙を剥離して感圧接着剤層を露出する手段、および、重剥離性の離型紙の背面から感圧接着剤層を加圧して感圧接着剤層を袋状または台紙に転写する手段を、必要によっては、袋状または台紙上の感圧接着剤層上に離型紙を接合する手段を間欠運動で連続的に製造し得る。なお、軽剥離性とは、小さい力で容易に剥離する性質であり、重剥離性とは、剥離に大きい力を要する性質である。さらには、当該製造装置は、本発明の袋状または台紙のみでなく、各種の合成樹脂フィルムまたはシートあるいは金属製、布製品などにも応用できる。
【００１６】
【発明の効果】
本発明は、以上説明したように構成されているので、以下に記載される効果を有する。
【００１７】
ブリスター包装体のシートカバー中の商品が化粧品のような皮膚または、目薬のような商品または飲食するような商品のような場合、当該商品が故意に抜き取られて購買者などに不慮の事故を生じたり、販売者に多大な損害を蒙る問題を解消する効果を有する。
【００１８】
【図面の簡単な説明】
【図１】本発明の開口識別付きブリスター包装体の平面図である。
【図２】上記、図１の断面図である。
【図３】シートカバーフランジ部上の剥離ニス層の細かな千鳥模様分布図。
【図４】図３の剥離ニス層の細かな千鳥模様上に跨って塗布された色インキ印刷模様図。
【図５】および
【図６】台紙からまたはシートカバーフランジ部のいずれからに転写されたときの模様状態。
【図７−ａ】図２の要部拡大部分の断面図（請求項２）。
【図７−ｂ】図２の要部拡大部分の断面図（請求項３）。
【符号の説明】
１　　袋状または台紙
２　　シートカバー
３　　シートカバーのフランジ部
４　　感圧接着剤層
５　　重合個所
６　　改ざん防止インキ層
７　　開口部
８　　封口片
９　　離型紙
１０　溶着帯
１１　吊り下げ孔
１２　剥離ニス層
１３　色インキ印刷層
１４　感圧接着剤
Ａ　　剥離ニスの付着部
Ｂ　　剥離ニスの付着部
【図１】
2004026297.tif 000003
【図２】
2004026297.tif 000004
【図３】
2004026297.tif 000005
【図４】
2004026297.tif 000006
【図５】
2004026297.tif 000007
【図６】
2004026297.tif 000008
【図７−ａ】
2004026297.tif 000009
【図７−ｂ】
2004026297.tif 000010